(57)【要約】  ページ自動編集装置は、観光スポットに関する情報を複数のサイトのそれぞれから収集して、一つのページ内にブロック単位に配置して表示する。そして、ページ自動編集装置は、表示させたページにおいて非スクロール状態で表示された領域内に含まれるブロックを特定する。その後、ページ自動編集装置は、特定したブロックについて、非スクロール状態の継続時間に応じた注目度を算出する。そして、ページ自動編集装置は、算出した注目度に応じて一つのページ内に直接収めるブロックの選択を行う。
2016075832.tif 000002
【特許請求の範囲】
【請求項１】
観光スポットに関する情報を複数のサイトのそれぞれから収集して、一つのページ内にブロック単位に配置して表示し、
非スクロール状態で表示された領域内に含まれるブロックを特定し、
特定した前記ブロックについて、非スクロール状態の継続時間に応じた注目度を算出し、
算出した注目度に応じて前記一つのページ内に直接収めるブロックの選択を行う
処理をコンピュータに実行させるページ自動編集方法。
【請求項２】
前記一つのページ内に直接収めるブロックに選択されないブロックを、クリックされることで表示する制御を行う
処理をコンピュータに実行させる請求項１記載のページ自動編集方法。
【請求項３】
注目度が高いブロック又は前記一つのページ内に直接収めるブロックを含むサイトに対応づけて登録されたアドレス宛に、対象のブロックを特定する情報と、該対象のブロックの注目度とを送信する
処理をコンピュータに実行させる請求項１記載のページ自動編集方法。
【請求項４】
注目度が低いブロック又は前記一つのページ内に直接収めるブロックの対象ではないブロックを含むサイトに対応づけて登録されたアドレス宛に、対象のブロックを特定する情報と、該対象のブロックの注目度とを送信する
処理をコンピュータに実行させる請求項１記載のページ自動編集方法。
【請求項５】
観光スポットに関する情報を複数のサイトのそれぞれから収集して、一つのページ内にブロック単位に配置して表示し、
非スクロール状態で表示された領域内に含まれるブロックを特定し、
特定した前記ブロックについて、非スクロール状態の継続時間に応じた注目度を算出し、
算出した注目度に応じて前記一つのページ内に直接収めるブロックの選択を行う
処理をコンピュータに実行させるページ自動編集プログラム。
【請求項６】
観光スポットに関する情報を複数のサイトのそれぞれから収集して、一つのページ内にブロック単位に配置して表示する表示部と、
前記表示部によって表示されるページにおいて非スクロール状態で表示された領域内に含まれるブロックを特定する特定部と、
前記特定部によって特定された前記ブロックについて、非スクロール状態の継続時間に応じた注目度を算出する算出部と、
前記算出部によって算出された注目度に応じて前記一つのページ内に直接収めるブロックの選択を行う選択部と
を有することを特徴とするページ自動編集装置。
【発明の詳細な説明】
【技術分野】
【０００１】
本発明は、ページ自動編集方法、ページ自動編集プログラムおよびページ自動編集装置に関する。
【背景技術】
【０００２】
従来、ユーザが、観光スポットなどの情報を検索する際、インターネットなどを利用して、観光スポットを紹介する様々なＷｅｂサイトを閲覧することが行われている。また、Ｗｅｂサイトを提供する側では、Ｗｅｂサイト内のＷｅｂページのページビュー（以下、ＰＶと記載する場合がある）を測定して閲覧状況を把握し、Ｗｅｂページの改善に役立てている。【０００３】
近年では、Ｗｅｂサイトを提供する企業等の許可を得て、特定の観光スポットなどの情報を収集し、改めてコンテンツに再編集したＷｅｂサイトを提供する観光クラウドなども利用されつつある。
【先行技術文献】
【特許文献】
【０００４】
【特許文献１】特開２００７−８０２９６号公報
【特許文献２】特開２０１３−９３０１５号公報
【特許文献３】特開２００１−２９０８３２号公報
【特許文献４】特開２００７−５２６９３号公報
【特許文献５】特開２００２−７３６７７号公報
【発明の概要】
【発明が解決しようとする課題】
【０００５】
しかしながら、上記技術では、Ｗｅｂサイト内のＷｅｂページのＰＶをカウントし、人気のあるＷｅｂページであることは判断できるが、そのＷｅｂページ内のどのコンテンツが人気あるかまでは判断できない。このため、人気のあるＷｅｂページを表示させたつもりでも、そのＷｅｂページ内では人気のないコンテンツを表示させている場合もあり、利用者の好みにあったコンテンツを提供できるとは言い難い。【０００６】
１つの側面では、本発明は、利用者の希望に合うサイトを提供することができるページ自動編集方法、ページ自動編集プログラムおよびページ自動編集装置を提供することを目的とする。
【課題を解決するための手段】
【０００７】
第１の案では、ページ自動編集方法は、観光スポットに関する情報を複数のサイトのそれぞれから収集して、一つのページ内にブロック単位に配置して表示する処理をコンピュータに実行させる。ページ自動編集方法は、非スクロール状態で表示された領域内に含まれるブロックを特定する処理をコンピュータに実行させる。ページ自動編集方法は、特定した前記ブロックについて、非スクロール状態の継続時間に応じた注目度を算出する処理をコンピュータに実行させる。ページ自動編集方法は、算出した注目度に応じて前記一つのページ内に直接収めるブロックの選択を行う処理をコンピュータに実行させる。
【発明の効果】
【０００８】
一実施形態によれば、利用者の希望に合うサイトを提供することができる。
【図面の簡単な説明】
【０００９】
【図１】図１は、実施例１に係るシステムの全体構成例を示す図である。
【図２】図２は、実施例１に係るページ自動編集装置の機能構成を示す機能ブロック図である。
【図３】図３は、ブロック情報ＤＢに記憶される情報の例を示す図である。
【図４】図４は、スポット情報ページの例を示す図である。
【図５】図５は、スポット特集ページの例を示す図である。
【図６】図６は、観光スポットの収集処理の流れを示すフローチャートである。
【図７】図７は、観光スポットの集計処理から特集ページの表示処理までの一連の流れを示すフローチャートである。
【図８】図８は、ハードウェア構成例を説明する図である。
【発明を実施するための形態】
【００１０】
以下に、本発明にかかるページ自動編集方法、ページ自動編集プログラムおよびページ自動編集装置の実施例を図面に基づいて詳細に説明する。なお、この実施例によりこの発明が限定されるものではない。なお、各実施例は、矛盾のない範囲内で適宜組み合わせることができる。
【実施例１】
【００１１】
［全体構成］
図１は、実施例１に係るシステムの全体構成例を示す図である。図１に示すように、このシステムは、インターネット５などのネットワークを介して他の装置と接続されるページ自動編集装置１０を有する。なお、本実施例では、一例として観光スポットのＷｅｂサイトを例にして説明する。また、観光スポットの一例としては、遺跡、祭り、世界遺産などである。【００１２】
このページ自動編集装置１０は、観光スポットに関する情報を複数のサイトのそれぞれから収集して、一つのページ内にブロック単位に配置して表示する。続いて、ページ自動編集装置１０は、非スクロール状態で表示された領域内に含まれるブロックを特定し、特定した前記ブロックについて、非スクロール状態の継続時間に応じた注目度を算出する。その後、ページ自動編集装置１０は、算出した注目度に応じて一つのページ内に直接収めるブロックの選択を行う。【００１３】
例えば、ページ自動編集装置１０は、他の企業や協会等が提供するＷｅｂサイトである観光サイト１や観光サイト２を周回して、各観光サイト内のブロックを収集する。つまり、ページ自動編集装置１０は、いわゆるクロール処理を実行して、観光サイト内のある観光スポットＡＡＡについてまとまった情報であるセクション情報を収集する。【００１４】
ここでは、ページ自動編集装置１０は、観光サイト１から、観光スポットＡＡＡの写真が記載されるブロックＡと、観光スポットＡＡＡの説明が記載されるブロックＢを収集する。また、ページ自動編集装置１０は、観光サイト２から、観光スポットＡＡＡの説明が記載させるブロックＣと、観光スポットＡＡＡの交通アクセスが記載されるブロックＤを収集する。【００１５】
そして、ページ自動編集装置１０は、観光スポットＡＡＡを紹介するＷｅｂサイトとして、別々の企業等が作成して提供するブロックＡ、ブロックＢ、ブロックＣ、ブロックＤを表示させたＷｅｂページであるスポット情報ページを生成する。その後、ページ自動編集装置１０は、当該ページ自動編集装置１０にアクセスして観光スポットＡＡＡの検索を行ったユーザ端末６に対して、新たに生成したスポット情報ページを提供する。【００１６】
そして、ページ自動編集装置１０は、スポット情報ページ内の各ブロックについて閲覧時間を収集して、人気のあるブロックや人気のないブロックを特定する。また、ページ自動編集装置１０は、収集した閲覧時間に基づいて特定した人気のあるブロックを表示対象と特定し、人気のないブロックを非表示対象と特定する。【００１７】
さらに、ページ自動編集装置１０は、観光スポットＡＡＡの特集ページの表示要求をユーザ端末６から受け付けた場合、表示対象と特定された人気のあるブロックが表示されるスポット特集ページを、ユーザ端末６に応答する。その後、ページ自動編集装置１０は、スポット特集ページにおいて、ユーザ端末６から関連ページの表示要求を受け付けた場合、非表示対象と特定された不人気のブロックが表示される関連ページを、ユーザ端末６に応答する。【００１８】
このように、ページ自動編集装置１０は、人気のあるブロックを優先して表示させ、人気のないブロックを別画面で表示させることができるので、ユーザが満足のいくＷｅｂ閲覧を提供することができる。【００１９】
［機能構成］
図２は、実施例１に係るページ自動編集装置の機能構成を示す機能ブロック図である。図２に示すように、ページ自動編集装置１０は、通信部１１、記憶部１２、制御部１３を有する。【００２０】
通信部１１は、他の装置の通信を制御する処理部であり、例えばネットワークインタフェースカードなどである。例えば、通信部１１は、他のＷｅｂサイトを提供するサーバとの間でデータを送受信し、ユーザ端末との間でＷｅｂブラウザによる通信を実行する。【００２１】
記憶部１２は、制御部１３が実行するプログラム、ブロックＤＢ１２ａ、ブロック情報ＤＢ１２ｂを記憶する記憶装置であり、例えばメモリやハードディスクなどである。【００２２】
ブロックＤＢ１２ａは、他のＷｅｂサイトから収集したブロックを記憶するデータベースである。例えば、ブロックＤＢ１２ａは、○○遺跡を紹介するブロックを記憶する。ここで記憶されるブロックは、Ｗｅｂサイトに表示される情報そのものであり、例えばテキストデータ、画像を含むデータなどである。【００２３】
ブロック情報ＤＢ１２ｂは、観光スポットごとに、収集されたブロックの閲覧時間を記憶するデータベースである。図３は、ブロック情報ＤＢに記憶される情報の例を示す図である。図３に示すように、ブロック情報ＤＢ１２ｂは、「観光スポット名、ブロック名、閲覧時間」を対応付けて記憶する。【００２４】
「観光スポット名」は、対象となる観光スポットを特定する情報である。「ブロック名」は、観光スポット名で特定される観光スポットを紹介するＷｅｂサイトから取得されたブロックを特定する情報である。「閲覧時間」は、ブロックが閲覧された合計時間であり、後述するスポット情報ページにおいて収集された閲覧時間である。【００２５】
図３の例では、○遺跡について、ブロックＡおよびブロックＢが収集され、ブロックＡの閲覧時間の合計が１０分であり、ブロックＢの閲覧時間の合計が３分であることを示している。つまり、○遺跡の紹介Ｗｅｂページにおいては、ブロックＢよりもブロックＡの方がユーザに閲覧される人気ブロックであることがわかる。【００２６】
なお、ここで示した情報はあくまで一例であり、任意に変更することができる。例えば、都道府県単位で観光スポットをグループ化してもよい。【００２７】
制御部１３は、ページ自動編集装置１０全体の処理を司る処理部であり、例えばプロセッサなどである。この制御部１３は、ブロック収集部１４、配置表示部１５、注目度算出部１６、選択表示部１７、表示制御部１８、通知部１９を有する。なお、ブロック収集部１４、配置表示部１５、注目度算出部１６、選択表示部１７、表示制御部１８、通知部１９は、電子回路の一部やプロセッサが実行するプロセスの一例である。【００２８】
ブロック収集部１４は、ある観光スポットを紹介するＷｅｂサイトから、Ｗｅｂサイトに含まれるブロックを収集する処理部である。具体的には、ブロック収集部１４は、観光スポットＡＡＡを紹介するセッション情報やコンテンツなどであるブロックを、インターネット上にある複数のＷｅｂページから収集して、ブロックＤＢ１２ａに格納する。【００２９】
例えば、ブロック収集部１４は、ＨＴＭＬ（HyperText  Markup  Language）などのマークアップ言語で記述されたＷｅｂページにアクセスして、アクセスしたＷｅｂページにおいてＤＩＶタグやテーブルタグなどで区分される情報をブロックとして収集する。【００３０】
配置表示部１５は、収集されたブロックをコンテンツとして配置したＷｅｂページを作成して、ユーザ端末６に表示させる処理部である。具体的には、配置表示部１５は、ユーザ端末６から○県の観光スポットを検索する検索要求を受け付けた場合、ブロック情報ＤＢ１２ｂから○県に対応付けられる観光スポットおよび当該観光スポットに対応付けられるブロックを特定する。そして、配置表示部１５は、特定したブロックの内容をブロックＤＢ１２ａから読み出し、○県に対応付けられる観光スポットごとに各ブロックを配置させたスポット情報ページを生成して、ユーザ端末６に応答する。【００３１】
図４を用いて具体例を説明する。図４は、スポット情報ページの例を示す図である。配置表示部１５は、図４に示すＷｅｂページを生成してユーザ端末６に送信する。図４に示すように、配置表示部１５は、○県の観光スポットを紹介するＷｅｂページとして、領域５１と領域５２と領域５３を有するスポット情報ページ５０を生成する。【００３２】
配置表示部１５は、領域５１に、○遺跡情報について複数のブロックが配置し、領域５２に、×祭り情報について複数のブロックを配置し、領域５３に、レストラン情報について複数のブロックを配置する。一例として、領域５１について説明すると、○遺跡情報のブロックとしては、○遺跡の写真を表示するブロックＡ、○遺跡の説明を表示するブロックＢ、○遺跡の説明を表示するブロックＣ、○遺跡の交通アクセスを表示するブロックＤが含まれる。なお、ブロックは、１つであってもよい。なお、領域の数や形式などは、一例であり、任意に変更することができる。【００３３】
また、配置表示部１５は、ページ全体をスクロール可能にするスクロールボタン５０ａと、領域ごとにブロックをスクロール可能にするスクロールボタン５１ａ、５２ａなどを生成する。【００３４】
注目度算出部１６は、配置表示部１５が生成した表示させたスポット情報ページにおいて、各ブロックが閲覧された時間を計測する処理部である。具体的には、注目度算出部１６は、スポット情報ページの観光スポットごとに、各ブロックの停止時間すなわちスクロールされていない滞留時間を計測して、ブロック情報ＤＢ１２ｂに格納する。例を挙げると、注目度算出部１６は、画面のスクロール位置から非スクロール状態で表示された領域内に含まれるブロックを特定し、特定したブロックについて、非スクロール状態の継続時間に応じた注目度を算出する。つまり、注目度算出部１６は、画面のスクロール状況から、どのブロックがどのくらい停止して閲覧されているかを収集する。【００３５】
例えば、スポット情報ページを閲覧するユーザ端末６は、画面の表示サイズ、スクロールの有無、表示されているブロックの情報などを２秒間隔で取得する。注目度算出部１６は、スポット情報ページを閲覧するユーザ端末６が収集した上記情報を、５秒間隔でユーザ端末６から取得する。なお、ここで示した間隔は、あくまで一例であり、これらを実行するブラウザのスクリプト等にあわせて任意に設定変更される。【００３６】
選択表示部１７は、収集された閲覧時間から、人気のあるブロックと人気のないブロックとを特定し、人気のあるブロックを優先的に表示させるスポット特集ページを生成する処理部である。具体的には、選択表示部１７は、観光スポットごとに、閲覧時間が所定時間以上であるブロックを人気のあるブロックと特定し、それ以外のブロックを人気のないブロックと特定する。そして、選択表示部１７は、特定した人気のあるブロックを一つのページ内に直接収めるブロックに選択して、スポット特集ページを生成する。【００３７】
図５を用いて具体的に説明する。図５は、スポット特集ページの例を示す図である。選択表示部１７は、図５に示すＷｅｂページを生成してユーザ端末６に送信する。例えば、選択表示部１７は、図４に示すスポット情報ページから選択された観光スポットについて、図５に示す特集ページを生成する。また、選択表示部１７は、ユーザ端末６からある観光スポットの特集ページの検索要求を受け付けた場合、検索要求された観光スポットについて図５に示す特集ページを生成する。【００３８】
一例を説明すると、配置表示部１５は、図４に示したスポット情報ページにおいて○遺跡が選択された場合、図５に示す○遺跡の特集ページを表示する。図５に示すように、配置表示部１５は、○遺跡が選択された場合、○遺跡に対応付けられるブロックの閲覧時間をブロック情報ＤＢ１２ｂから取得して、閲覧時間が所定時間以上であるブロックＢおよびブロックＤを表示対象に選択し、それ以外のブロックＡおよびブロックＣを非表示対象に選択する。【００３９】
その後、配置表示部１５は、ブロックＢおよびブロックＤを配置したスポット特集ページを生成するとともに、ブロックＡおよびブロックＣを配置した関連ページを生成して、スポット特集ページに関連ページのリンクを生成する。具体的には、図５に示すように、配置表示部１５は、ブロックＢおよびブロックＤを配置するとともに関連ページのリンク「＞＞関連情報」が貼られたスポット特集ページを、ユーザ端末６に送信する。なお、配置表示部１５は、閲覧時間がより長いブロックをページのより上部に配置する。【００４０】
表示制御部１８は、スポット特集ページから関連ページに表示を遷移させる処理部である。具体的には、表示制御部１８は、スポット特集ページを閲覧するユーザ端末から関連ページのリンクが選択された場合、関連ページをユーザ端末６に送信する。【００４１】
例えば、表示制御部１８は、図５に示す○遺跡のスポット特集ページにおいてリンク「＞＞関連情報」が選択された場合、非表示対象であるブロックＡおよびブロックＣが配置された○遺跡の関連ページをユーザ端末６に送信する。【００４２】
通知部１９は、各ブロックの生成元等に対して、人気状況をフィードバックする処理部である。具体的には、通知部１９は、注目度が高いブロック又は一つのページ内に直接収めるブロックを含むサイトに対応づけて登録されたアドレス宛に、対象のブロックを特定する情報と、該対象のブロックの注目度とを送信する。例えば、通知部１９は、ブロックと当該ブロックの収集元のアドレスとを対応付けて記憶部１２等に保持し、収集されたブロックの閲覧時間などの情報を収集元に通知する。すなわち、通知部１９は、人気の高いブロックの管理元に、管理対象のブロックの人気が高いことを通知する。【００４３】
同様に、通知部１９は、注目度が低いブロック又は一つのページ内に直接収めるブロックの対象ではないブロックを含むサイトに対応づけて登録されたアドレス宛に、対象のブロックを特定する情報と、該対象のブロックの注目度とを送信する。すなわち、通知部１９は、人気の低いブロックの管理元に、管理対象のブロックの人気が低いことを通知する。このようにすることで、管理元のコンテンツの作成意欲を向上させることができる。【００４４】
［処理の流れ］
次に、観光スポットの収集処理と特集ページの表示処理について説明する。【００４５】
（収集処理の流れ）
図６は、観光スポットの収集処理の流れを示すフローチャートである。図６に示すように、ブロック収集部１４は、収集開始が指示されると（Ｓ１０１：Ｙｅｓ）、収集対象となる観光スポットを受け付ける（Ｓ１０２）。【００４６】
続いて、ブロック収集部１４は、インターネット上に公開されているＷｅｂサイトから、観光スポットを紹介するＷｅｂサイトを検索し（Ｓ１０３）、検索されたＷｅｂサイトにアクセスする（Ｓ１０４）。【００４７】
その後、ブロック収集部１４は、検索されたＷｅｂサイト内で観光スポットを紹介するＷｅｂページにアクセスして、観光スポットを紹介するブロックを収集してブロックＤＢ１２ａに格納する（Ｓ１０５）。【００４８】
そして、ブロック収集部１４は、観光スポットを紹介するＷｅｂサイトが他にもある場合は（Ｓ１０６：Ｙｅｓ）、Ｓ１０４に戻って以降の処理を繰り返す。一方で、ブロック収集部１４は、観光スポットを紹介するＷｅｂサイトが他にはなく（Ｓ１０６：Ｎｏ）、終了する場合は（Ｓ１０７：Ｙｅｓ）、処理を終了する。ここで、ブロック収集部１４は、他の観光スポットについても処理を実行する場合（Ｓ１０７：Ｎｏ）、Ｓ１０２に戻って以降の処理を繰り返す。【００４９】
（特集ページ表示処理の流れ）
図７は、観光スポットの集計処理から特集ページの表示処理までの一連の流れを示すフローチャートである。なお、ここでは、一連の流れを例にして説明するが、観光スポットの集計処理と特集ページの表示処理とは、別々のフローで実行することもできる。【００５０】
図７に示すように、配置表示部１５は、観光スポットの紹介ページなどの要求をユーザ端末６から受信すると（Ｓ２０１：Ｙｅｓ）、要求された対象の観光スポットを特定する（Ｓ２０２）。【００５１】
続いて、配置表示部１５は、観光スポットについて収集されたブロックを表示させたスポット情報ページを生成して、ユーザ端末６に応答する（Ｓ２０３）。その後、注目度算出部１６は、スポット情報ページの各ブロックの閲覧時間を算出して、ブロック情報ＤＢ１２ｂに格納する（Ｓ２０４）。【００５２】
そして、スポット情報ページにおいて観光スポットが選択された場合（Ｓ２０５：Ｙｅｓ）、注目度算出部１６は、閲覧時間を集計する（Ｓ２０６）。なお、スポット情報ページにおいて観光スポットが選択されない場合（Ｓ２０５：Ｎｏ）、Ｓ２０２以降が繰り返される。【００５３】
その後、選択表示部１７は、閲覧時間の上位Ｘ個（Ｘは任意の数）のブロックを表示対象に決定し、他のブロックを表示対象外に設定する（Ｓ２０７）。そして、選択表示部１７は、表示対象のブロックを１ページに表示させたスポット特集ページを、ユーザ端末６に応答する（Ｓ２０８）。【００５４】
その後、表示制御部１８は、スポット特集ページにおいて関連ページが選択された場合（Ｓ２０９：Ｙｅｓ）、表示対象外のブロックが表示された関連ページを、ユーザ端末６に応答する（Ｓ２１０）。なお、スポット特集ページにおいて該当スポットの関連ページが選択されない場合（Ｓ２０９：Ｎｏ）、Ｓ２１１が実行される。【００５５】
また、選択表示部１７は、関連ページにおいてスポット特集ページへの戻る操作を受け付けた場合（Ｓ２１１：Ｙｅｓ）、Ｓ２０８に戻って以降の処理を実行する。また、関連ページにおいてスポット特集ページへの戻る操作ではなく（Ｓ２１１:Ｎｏ）、スポット情報ページへの戻る操作を受け付けられた場合（Ｓ２１２：Ｙｅｓ）、Ｓ２０３以降が繰り返される。【００５６】
そして、スポット情報ページへの戻る操作でもなく（Ｓ２１２:Ｎｏ）、終了操作が受け付けられた場合（Ｓ２１３：Ｙｅｓ）、ページ自動編集装置１０は、処理を終了する。一方、終了操作も受け付けられない場合（Ｓ２１３：Ｎｏ）、Ｓ２０８に戻って以降の処理が実行される。【００５７】
上述したように、ページ自動編集装置１０は、人気の高い観光スポットの情報をトップページにしたＷｅｂページをユーザ端末６に送信することができるので、ユーザは少ない労力で人気のある観光スポットの情報を閲覧することができる。つまり、ページ自動編集装置１０は、利用者の希望に合うサイトを提供することができる。【００５８】
また、ページ自動編集装置１０は、人気の少ない観光スポットの情報を、人気の高い観光スポットの情報を表示するＷｅｂページに対応付けることができるので、閲覧回数の少ない情報も洩れなく提供することができる。【００５９】
また、ページ自動編集装置１０は、観光スポットのブロックの収集元に対して、人気状況をフィードバックすることができるので、観光スポットの情報の充実や更新を促すことができ、最新の観光スポットの情報をユーザに提供し続けることができる。
【実施例２】
【００６０】
さて、これまで本発明の実施例について説明したが、本発明は上述した実施例以外にも、種々の異なる形態にて実施されてよいものである。【００６１】
［観光スポット］
上記実施例では、観光スポットのブロックを例にして説明したが、これに限定されるものではない。例えば、コンサート、公演、震災情報、防災情報、地震情報など、複数の企業等がＷｅｂページを提供すると想定される様々な内容を対象とすることができる。このようにすることで、ユーザは、例えば震災情報の中からより有益な情報を簡単に閲覧することができる。【００６２】
［非表示対象］
例えば、上記実施例では、人気の少ない観光スポットを非表示対象外として関連ページに表示させる例を説明したが、その後に人気が出た観光スポットについては、表示対象に昇格させることもできる。例えば、ページ自動編集装置１０は、関連ページに表示される各ブロックについて、所定期間内の閲覧時間の上昇率を測定し、上昇率が閾値を超えるブロックを表示対象に昇格させることもできる。同様に、ページ自動編集装置１０は、特集ページに表示される各ブロックについて、所定期間内の閲覧時間の上昇率を測定し、上昇率が所定値以下のブロックを非表示対象に降格させることもできる。このようにすることで、ページ自動編集装置１０は、一時的な人気に左右されず、ユーザの嗜好に適したブロックを優先的に表示させることができる。【００６３】
［閲覧時間］
上記実施例では、スクロール停止時間を閲覧時間として利用する例を説明したが、これに限定されるものではなく、インターネットブラウザに搭載される機能やインターネットブラウザにインストールして利用できる様々な機能を利用することができる。例えば、Ｊａｖａ（登録商標）スクリプトなどを利用して、端末側でのブラウザの位置や表示されるＷｅｂページの位置を特定することができる。また、閲覧時間に限定されず、閲覧回数やＰＶなどを利用することもできる。なお、ユーザ端末６としては、パーソナルコンピュータや携帯電話など各種端末が該当する。【００６４】
［システム］
また、図示した装置の各構成は、必ずしも物理的に図示の如く構成されていることを要しない。すなわち、任意の単位で分散または統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。【００６５】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。【００６６】
［ハードウェア］
図８は、ハードウェア構成例を説明する図である。図８に示すように、ページ自動編集装置１０は、通信インタフェース１０ａ、ＨＤＤ（Hard  Disk  Drive）１０ｂ、メモリ１０ｃ、プロセッサ１０ｄを有する。また、図８に示した各部は、バス等で相互に接続される。【００６７】
通信インタフェース１０ａは、他の装置との通信を制御するインタフェースであり、例えばネットワークインタフェースカードである。ＨＤＤ１０ｂは、図２等に示した機能を動作させるプログラム、ＤＢ、テーブルなどを記憶する。【００６８】
プロセッサ１０ｄは、図２等に示した各処理部と同様の処理を実行するプログラムをＨＤＤ１０ｂ等から読み出してメモリ１０ｃに展開することで、図２等で説明した各機能を実行するプロセスを動作させる。【００６９】
すなわち、このプロセスは、ページ自動編集装置１０が有する各処理部と同様の機能を実行する。具体的には、プロセッサ１０ｄは、ブロック収集部１４、配置表示部１５、注目度算出部１６、選択表示部１７、表示制御部１８、通知部１９等と同様の機能を有するプログラムをＨＤＤ１０ｂ等から読み出す。そして、プロセッサ１０ｄは、ブロック収集部１４、配置表示部１５、注目度算出部１６、選択表示部１７、表示制御部１８、通知部１９と同様の処理を実行するプロセスを実行する。【００７０】
このようにページ自動編集装置１０は、プログラムを読み出して実行することでページ自動編集方法を実行する情報処理装置として動作する。また、ページ自動編集装置１０は、媒体読取装置によって記録媒体から上記プログラムを読み出し、読み出された上記プログラムを実行することで上記した実施例と同様の機能を実現することもできる。なお、この他の実施例でいうプログラムは、ページ自動編集装置１０によって実行されることに限定されるものではない。例えば、他のコンピュータまたはサーバがプログラムを実行する場合や、これらが協働してプログラムを実行するような場合にも、本発明を同様に適用することができる。
【符号の説明】
【００７１】
１０  ページ自動編集装置
１１  通信部
１２  記憶部
１２ａ  ブロックＤＢ
１２ｂ  ブロック情報ＤＢ
１３  制御部
１４  ブロック収集部
１５  配置表示部
１６  注目度算出部
１７  選択表示部
１８  表示制御部
１９  通知部
【図１】
2016075832.tif 000003
【図２】
2016075832.tif 000004
【図３】
2016075832.tif 000005
【図４】
2016075832.tif 000006
【図５】
2016075832.tif 000007
【図６】
2016075832.tif 000008
【図７】
2016075832.tif 000009
【図８】
2016075832.tif 000010
【国際調査報告】
2016075832.tif 000011
2016075832.tif 000012
2016075832.tif 000013
2016075832.tif 000014